(57)【要約】【課題】住宅に取り付ける換気口において、外気が高湿度状態にあっても室内側に結露水が滴下することなく、連続で外気導入できる換気口を提供することを目的としている。【解決手段】ダクト１に挿入される円筒形の風洞２の室外側の下方部に排水口１１を有したしきり面９を設け、しきり面９には開閉するシャッター１０を設け、風洞２の室内側に一体に構成され風洞２の外周方向に張り出した室内側の壁面に当接されるフランジ３を設け、フランジ３を包み込むように装着される化粧グリル１２を設ける構成において、フランジ３にフィルター６を固定するためのフィルター枠７を設け、フィルター枠７の下方にフィルター６の下方が挿入され、室内側の立ち上がり面は風洞２の底部より高く、風洞２側は開放とした受け部８を設けることにより、高湿度時においても連続で使用することのできる換気口を得られる。【選択図】図１
2007187336.tif 000002
【特許請求の範囲】
【請求項１】
壁面の室内側と室外側を連通するダクトに挿入される円筒形の風洞と、前記風洞の室外側端部に通風口と下方部に排水口を有したしきり面を設け、前記しきり面には前記通風口を開閉するシャッターを設け、前記風洞の前記室内側に一体に構成され前記風洞の外周方向に張り出した前記室内側の壁面に当接されるフランジを設け、前記フランジを包み込むように装着される前面パネルとグリルベースで構成された化粧グリルを設ける構成において、前記フランジに前記風洞の前記通風口に装着されるフィルターを固定するためのフィルター枠を設け、前記フィルター枠の下方に、前記風洞側と上方が開放とし前記フィルターの下方が挿入され、前記室内側の立ち上がり面の上端部は前記風洞の底部より高い受け部を設けた構成を特徴とする換気口。
【請求項２】
壁面の室内側と室外側を連通するダクトに挿入される円筒形の風洞と、前記風洞の室外側端部に通風口と下方部に排水口を有したしきり面を設け、前記しきり面には開閉するシャッターを設け、前記風洞の前記室内側に一体に構成され前記風洞の外周方向に張り出した前記室内側の壁面に当接されるフランジを設け、前記フランジを包み込むように装着される前面パネルとグリルベースで構成された化粧グリルを設ける構成において、前記化粧グリルの前記フランジ側にフィルターを固定するためのフィルター枠と、前記フィルター枠の下方に、前記風洞側と上方が開放とし前記フィルターの下方を挿入する受け部を設け、前記受け部の前記フランジ側に、前記化粧グリルを前記フランジに装着した時に前記風洞に突出するようコ字形状の溝を設けた構成を特徴とする換気口。
【請求項３】
受け部の底部に、フィルターの下端が風洞の底部より高い位置で保持できるようにリブを設けた構成を特徴とする請求項１または２記載の換気口。
【請求項４】
前面パネルのフランジ側にパッキンを有し、受け部の室内側上端部を斜め上方に延長した舌部を設け、化粧グリルを前記フランジに装着した時に前記舌部が前記パッキンに接触するように設けた構成を特徴とする請求項１または２記載の換気口。
【請求項５】
排水口に、対向するように風洞の底部に壁部を設けた構成を特徴とする請求項１または２記載の換気口。
【請求項６】
排水口を、風洞の底部に設けた構成を特徴とする請求項１または２記載の換気口。
【請求項７】
風洞の外周部に、前記風洞とダクトの内壁から室外の水滴を侵入させないシール材を設けた構成を特徴とする請求項１または２記載の換気口。
【請求項８】
閉時のシャッターの一部が、排水口を塞ぐように設けた構成を特徴とする請求項１または２記載の換気口。
【請求項９】
排水口に嵌合するように、シャッターに凸部を設けた構成を特徴とする請求項１、２、８のいずれかに記載の換気口。
【発明の詳細な説明】
【技術分野】
【０００１】
本発明は、住宅に設置されフィルターが装着される換気口における排水の構成に関する。
【背景技術】
【０００２】
従来、この種の換気口は、フィルターの下方に堤構造を設けたものが知られている（例えば、特許文献１参照）。
【０００３】
以下、その換気口について、図１２を参照しながら説明する。
【０００４】
図に示すように、換気扇本体１０１の室内側にフィルター枠１０２およびこの下方に上方のみが開放された堤部１０３が一体に構成され、このフィルター枠１０２と堤部１０３に四角形のフィルター１０４が取り外し可能に装着され、外気が高湿の場合フィルター１０４に付着する結露水により室外からの給気が遮断されるとともに、フィルター枠１０２下方に設けられた堤部１０３に結露水が保有され室内側に結露水が滴下することはない。一方、外気の湿度が低下した場合フィルター１０４に付着した結露水が乾くとともに堤部１０３に保有された結露水もフィルター１０４に吸い上げられ乾くことになり、ふたたび外気を導入することになる。
【特許文献１】特開２００５−８３５８７号公報
【発明の開示】
【発明が解決しようとする課題】
【０００５】
このような従来の換気口では、フィルター枠下方に設けた堤部に結露水をため、この結露水をフィルターに吸い上げフィルターの通風抵抗を上げ、外気の導入を一時的に遮断して、結露水の室内側への滴下を防止するが、連続的な外気導入ができないという課題がある。
【０００６】
また、堤部に溜まった結露水が乾くまで、フィルターの下部が結露水に浸っているため、フィルターが汚れやすいという課題がある。
【０００７】
本発明は、このような従来の課題を解決するものであり、外気が高湿度状態にあっても室内側に結露水が滴下することなく、連続で外気導入できる換気口を提供することを目的としている。
【０００８】
また、フィルターが結露水に長時間浸ることなく、汚れが発生しにくい換気口を提供することを目的としている。
【課題を解決するための手段】
【０００９】
本発明の換気口は、上記目的を達成するために、壁面の室内側と室外側を連通するダクトに挿入される円筒形の風洞と、前記風洞の室外側端部に通風口と下方部に排水口を有したしきり面を設け、前記しきり面には前記通風口を開閉するシャッターを設け、前記風洞の前記室内側に一体に構成され前記風洞の外周方向に張り出した前記室内側の壁面に当接されるフランジを設け、前記フランジを包み込むように装着される前面パネルとグリルベースで構成された化粧グリルを設ける構成において、前記フランジに前記風洞の前記通風口に装着されるフィルターを固定するためのフィルター枠を設け、前記フィルター枠の下方に、前記風洞側と上方が開放とし前記フィルターの下方が挿入され、前記室内側の立ち上がり面の上端部は前記風洞の底部より高い受け部を設けたものである。
【００１０】
この手段により、外気が高湿度状態にあっても室内側に結露水が滴下することなく、連続で外気導入することができる換気口が得られる。
【００１１】
また、他の手段は、壁面の室内側と室外側を連通するダクトに挿入される円筒形の風洞と、前記風洞の室外側端部に通風口と下方部に排水口を有したしきり面を設け、前記しきり面には開閉するシャッターを設け、前記風洞の前記室内側に一体に構成され前記風洞の外周方向に張り出した前記室内側の壁面に当接されるフランジを設け、前記フランジを包み込むように装着される前面パネルとグリルベースで構成された化粧グリルを設ける構成において、前記化粧グリルの前記フランジ側にフィルターを固定するためのフィルター枠と、前記フィルター枠の下方に、前記風洞側と上方が開放とし前記フィルターの下方を挿入する受け部を設け、前記受け部の前記フランジ側に、前記化粧グリルを前記フランジに装着した時に前記風洞に突出するようコ字形状の溝を設けたものである。
【００１２】
この手段により、外気が高湿度状態にあっても室内側に結露水が滴下することなく、連続で外気導入することができる換気口が得られる。
【００１３】
また、他の手段は、受け部の底部に、フィルターの下端が風洞の底部より高い位置で保持できるようにリブを設けたものである。
【００１４】
この手段により、フィルターが結露水に長時間浸ることなく、汚れを発生しにくくすることができる換気口が得られる。
【００１５】
また、他の手段は、前面パネルのフランジ側にパッキンを有し、受け部の室内側上端部を斜め上方に延長した舌部を設け、化粧グリルを前記フランジに装着した時に前記舌部が前記パッキンに接触するように設けたものである。
【００１６】
この手段により、外気が高湿度状態にあっても室内側に結露水が滴下することなく、連続で外気導入することができる換気口が得られる。
【００１７】
また、他の手段は、排水口に、対向するように風洞の底部に壁部を設けたものである。
【００１８】
この手段により、外気が高湿度状態にあっても室内側に結露水が滴下することなく、連続で外気導入することができる換気口が得られる。
【００１９】
また、他の手段は、排水口を、風洞の底部に設けたものである。
【００２０】
この手段により、外気が高湿度状態にあっても室内側に結露水が滴下することなく、連続で外気導入することができる換気口が得られる。
【００２１】
また、他の手段は、風洞の外周部に、前記風洞とダクトの内壁から室外の水滴を侵入させないシール材を設けたものである。
【００２２】
この手段により、外気が高湿度状態にあっても室内側に結露水が滴下することなく、連続で外気導入することができる換気口が得られる。
【００２３】
また、他の手段は、閉時のシャッターの一部が、排水口を塞ぐように設けたものである。
【００２４】
この手段により、外気が高湿度状態にあっても室内側に結露水が滴下することなく、連続で外気導入することができる換気口が得られる。
【００２５】
また、他の手段は、排水口に嵌合するように、シャッターに凸部を設けたものである。
【００２６】
この手段により、外気が高湿度状態にあっても室内側に結露水が滴下することなく、連続で外気導入することができる換気口が得られる。
【発明の効果】
【００２７】
本発明によれば、壁面の室内側と室外側を連通するダクトに挿入される円筒形の風洞と、前記風洞の室外側端部に通風口と下方部に排水口を有したしきり面を設け、前記しきり面には前記通風口を開閉するシャッターを設け、前記風洞の前記室内側に一体に構成され前記風洞の外周方向に張り出した前記室内側の壁面に当接されるフランジを設け、前記フランジを包み込むように装着される前面パネルとグリルベースで構成された化粧グリルを設ける構成において、前記フランジに前記風洞の前記通風口に装着されるフィルターを固定するためのフィルター枠を設け、前記フィルター枠の下方に、前記風洞側と上方が開放とし前記フィルターの下方が挿入され、前記室内側の立ち上がり面の上端部は前記風洞の底部より高い受け部を設けた構成とすることにより、外気が高湿度状態にあっても室内側に結露水が滴下することなく、連続で外気導入することができるという効果のある換気口を提供できる。
【００２８】
また、壁面の室内側と室外側を連通するダクトに挿入される円筒形の風洞と、前記風洞の室外側端部に通風口と下方部に排水口を有したしきり面を設け、前記しきり面には開閉するシャッターを設け、前記風洞の前記室内側に一体に構成され前記風洞の外周方向に張り出した前記室内側の壁面に当接されるフランジを設け、前記フランジを包み込むように装着される前面パネルとグリルベースで構成された化粧グリルを設ける構成において、前記化粧グリルの前記フランジ側にフィルターを固定するためのフィルター枠と、前記フィルター枠の下方に、前記風洞側と上方が開放とし前記フィルターの下方を挿入する受け部を設け、前記受け部の前記フランジ側に、前記化粧グリルを前記フランジに装着した時に前記風洞に突出するようコ字形状の溝を設けた構成とすることにより、外気が高湿度状態にあっても室内側に結露水が滴下することなく、連続で外気導入することができるとともに、受け部の汚れを容易に掃除することができるという効果のある換気口を提供できる。
【００２９】
また、受け部の底部に、フィルターの下端が風洞の底部より高い位置で保持できるようにリブを設けた構成とすることにより、フィルターが結露水に長時間浸ることなく、汚れを発生しにくくすることができるという効果のある換気口を提供できる。
【発明を実施するための最良の形態】
【００３０】
本発明の請求項１記載の換気口は、壁面の室内側と室外側を連通するダクトに挿入される円筒形の風洞と、前記風洞の室外側端部に通風口と下方部に排水口を有したしきり面を設け、前記しきり面には前記通風口を開閉するシャッターを設け、前記風洞の前記室内側に一体に構成され前記風洞の外周方向に張り出した前記室内側の壁面に当接されるフランジを設け、前記フランジを包み込むように装着される前面パネルとグリルベースで構成された化粧グリルを設ける構成において、前記フランジに前記風洞の前記通風口に装着されるフィルターを固定するためのフィルター枠を設け、前記フィルター枠の下方に、前記風洞側と上方が開放とし前記フィルターの下方が挿入され、前記室内側の立ち上がり面の上端部は前記風洞の底部より高い受け部を設けたものであり、フィルターに付着した結露水を一度受け部に受けた後、風洞からダクトに排水されるという作用を有する。
【００３１】
また、壁面の室内側と室外側を連通するダクトに挿入される円筒形の風洞と、前記風洞の室外側端部に通風口と下方部に排水口を有したしきり面を設け、前記しきり面には開閉するシャッターを設け、前記風洞の前記室内側に一体に構成され前記風洞の外周方向に張り出した前記室内側の壁面に当接されるフランジを設け、前記フランジを包み込むように装着される前面パネルとグリルベースで構成された化粧グリルを設ける構成において、前記化粧グリルの前記フランジ側にフィルターを固定するためのフィルター枠と、前記フィルター枠の下方に、前記風洞側と上方が開放とし前記フィルターの下方を挿入する受け部を設け、前記受け部の前記フランジ側に、前記化粧グリルを前記フランジに装着した時に前記風洞に突出するようコ字形状の溝を設けたものであり、化粧グリルを取り外して清掃するという作用を有する。
【００３２】
また、受け部の底部に、フィルターの下端が風洞の底部より高い位置で保持できるようにリブを設けたものであり、フィルターの下端部が受け部にたまった結露水に触れることがないという作用を有する。
【００３３】
また、前面パネルのフランジ側にパッキンを有し、受け部の室内側上端部を斜め上方に延長した舌部を設け、化粧グリルを前記フランジに装着した時に前記舌部が前記パッキンに接触するように設けたものであり、フィルターを通り抜け前面パネルの内側に付着した結露水を受け部で捕集されるという作用を有する。
【００３４】
また、排水口に、対向するように風洞の底部に壁部を設けたものであり、排水口から侵入した室外側の水滴は、壁部でせき止められ室内側に侵入しないという作用を有する。
【００３５】
また、排水口を、風洞の底部に設けたものであり、排水口から侵入した室外側の水滴は、底部の排水口で排水され室内側に侵入しないという作用を有する。
【００３６】
また、風洞の外周部に、前記風洞とダクトの内壁から室外の水滴を侵入させないシール材を設けたものであり、風洞の外径とダクトの内径との間を通じて侵入する室外側の水滴は、シール材でせき止められ室内側に侵入しないという作用を有する。
【００３７】
また、閉時のシャッターの一部が、排水口を塞ぐように設けたものであり、シャッターが閉時に排水口を閉塞し、室外側の水滴は風洞内に侵入させないという作用を有する。
【００３８】
また、排水口に嵌合するように、シャッターに凸部を設けたものであり、シャッター閉時に凸部を排水口に嵌合させて、排水口を塞いだ汚れを取り除くという作用を有する。
【００３９】
以下、本発明の実施の形態について、図面を参照しながら説明する。
【００４０】
（実施の形態１）
図１および図２に示すように、壁面の室内側と室外側を連通するダクト１に挿入される樹脂製で円筒形の風洞２と、この風洞２の室内側に風洞２と一体に構成され、風洞２の外周方向に正方形に張り出したフランジ３を設け、このフランジ３の外周には壁面側に張り出し、壁面に当接するフランジ枠４が構成されている。また、フランジ３には風洞２に連通した円筒状の通風口５が構成され、この通風口５を囲むように左右および上方にフィルター６の厚さに対応し、Ｌ形状に構成されたフィルター枠７が設けられている。さらに、通風口５の下方には風洞２側と上方が開放された受け部８が設けられ、フィルター６はこの受け部８に下端を挿入し、フィルター枠７とフランジ３との間に装着される。受け部８は、室内側の立ち上がり面の上端部が風洞２の底部より高くなるよう構成されている。また、風洞２の底部は、室内側に対して室外側が低くなるように構成されるとともに、室外側面にはしきり面９が設けられ、このしきり面９には、室外から給気されるときには室内側に向かって回動して通風口を開口し、換気停止時には閉となるシャッター１０が装着されている。また、しきり面９の下端部には、風洞２の底部に接して排水口１１が設けられている。また、フランジ枠４を包むように化粧グリル１２が着脱可能に取り付けられている。この化粧グリル１２は、フランジ枠４に嵌り込むグリルベース１３と、このグリルベース１３と底面でつながり前記フランジ３に平行に構成された前面パネル１４から構成され、この化粧グリル１２は左右側面および上面が開放になっている。
【００４１】
上記構成において、雨や霧など外気が高湿度の状態のときに給気をおこなうと、シャッター１０を通して風洞２に吸い込まれた水滴は、フィルター６に付着し受け部８に滴下する。受け部８に滴下した水滴は、受け部８の室内側立ち上がり部の上端部が風洞２の底部より高く構成されているため、室内側に滴下する前に風洞２側に流れ、しきり面９の下端部に設けられた排水口１１からダクト１に排水され室外へと排水されることになる。
【００４２】
（実施の形態２）
図３において、図１、図２と同一の部分は同一の符号を用い、それらの説明は省略する。
【００４３】
図３に示すように、フランジ枠４に嵌り込むグリルベース１３のフランジ３面側にはフィルター６の厚さに対応し、Ｌ形状に構成されたフィルター枠７が構成され、このフィルター枠７の下方にはフィルター６の下端が差し込まれる受け部１５が設けられている。また、前面パネル１４をフランジ枠４に装着したときに、風洞２に導出するように構成されコ字形状に設けられた溝１６が受け部１５のフランジ３面側に形成されている。
【００４４】
上記構成において、雨や霧など外気が高湿度の状態のときに給気をおこなうと、シャッター１０を通して風洞２に吸い込まれた水滴は、実施の形態１と同様フィルター６に付着し受け部１５に滴下する。
【００４５】
受け部１５に滴下した水滴は、受け部１５の室内側立ち上がり部が風洞２の底部より高く構成されるとともに受け部１５に設けられた溝１６が風洞２に導出しているため、室内側に滴下する前に溝１６を通り風洞２側に流れ、しきり面９の下端部に設けられた排水口１１からダクト１に排水され室外へと排水されることになる。
【００４６】
また、前面パネル１４を取り外して、受け部１５および溝１６の内外面を容易に清掃することができる。
【００４７】
（実施の形態３）
図４および図５において、図１〜図３と同一の部分は同一の符号を用い、それらの説明は省略する。
【００４８】
図４および図５に示すように、受け部８の底部にフィルター６を装着し、フィルター６の下端が風洞２の円筒底部より高い位置で保持できるようリブ１７を設けたものである。
【００４９】
上記構成において、フィルター６に付着した結露水は受け部８に溜まるが、この溜まった結露水は、フィルター６に触れることなく風洞２に流れることになり、フィルター６が結露水に長時間浸ることなく、汚れを発生しにくくすることができる。
【００５０】
（実施の形態４）
図６において、図１〜図５と同一の部分は同一の符号を用い、それらの説明は省略する。
【００５１】
図６に示すように、フランジ３に平行で平面状に形成された前面パネル１９のフィルター６面側にパッキン２０を貼り付けるとともに、フィルター６の下端部が挿入される受け部２１の室内側上端部を斜め上方に延長した舌部２２を水平方向に設け、化粧グリル１８をフランジ枠４に装着時にこの舌部２２がパッキン２０に接触するよう構成したものである。
【００５２】
上記構成において、外気が高湿度の状態で給気をおこなうと、フィルター６に付着した結露水は受け部２１に溜まり風洞２を通じて室外へ排水されるが、外風が強い時などは一部の水滴はフィルター６を通過し、前面パネル１９のフィルター６面側に貼り付けられたパッキン２０に付着することになる。さらにパッキン２０に付着した水滴は滴下し、舌部２２を介して受け部２１に回収されることになり、室内に滴下することなく風洞２を通じて室外に排水されることになる。
【００５３】
（実施の形態５）
図７および図８において、図１〜図６と同一の部分は同一の符号を用い、それらの説明は省略する。
【００５４】
図７および図８に示すように、風洞２の室外側面に設けられたしきり面９に、室外から給気されるときには室内側に向かって開口し、換気停止時および外風が強いときに閉とするシャッター１０が装着され、しきり面９の下端部には排水口１１が設けられている。また風洞２の底部に、この排水口１１に対面する位置に、壁部２３が設けられている。
【００５５】
上記構成において、外気の湿度が高くかつ風が強い状態でシャッター１０を閉にしたときに室外側からの水滴は排水口１１通っても壁部２３が抵抗となり、風洞２の室内側に侵入しにくくなる。
【００５６】
（実施の形態６）
図９において、図１〜図８と同一の部分は同一の符号を用い、それらの説明は省略する。
【００５７】
図９に示すように、風洞２の室外側にしきり面９を設け、このしきり面９に近接する風洞２の底部に排水口２４が設けられている。また、風洞２の外径はダクト１の内径に対し、隙間ができるよう構成されるとともに、室外側から浸入した水滴が風洞２の外径とダクト１の内径との間を通じて室内側に滴下しないように、風洞２の外周にシール材２５を貼り付けている。
【００５８】
上記構成において、外気の湿度が高くかつ風が強い状態でシャッター１０を閉にしたとき、風洞２内の水滴は室外の風圧を受けることなく排水口２４から排水されるとともに、室外側からの水滴は風圧を受ける側に排水口２４を設けていないので、排水口２４を介して、風洞２内に侵入しにくくなる。
【００５９】
また、風洞２の外径とダクト１の内径との間を通じて侵入する室外側の水滴は、シール材２５でせき止められるので、室内側に侵入しない。
【００６０】
（実施の形態７）
図１０において、図１〜図９と同一の部分は同一の符号を用い、それらの説明は省略する。
【００６１】
図１０に示すように、風洞２の室外側面に設けられたしきり面９に、室外から給気されるときには室内側に向かって開口し、換気停止時および外風が強いときに閉とするシャッター２６が装着され、しきり面９の下端部には排水口１１が設けられている。シャッター２６の下端部には、シャッター２６が閉時に排水口１１を閉塞するように設けられている。
【００６２】
上記構成において、外気の湿度が高くかつ風が強い状態でシャッター２６を閉にしたときに室外側からの水滴が排水口１１を介して、風洞２に侵入しにくくなる。
【００６３】
（実施の形態８）
図１１において、図１〜図１０と同一の部分は同一の符号を用い、それらの説明は省略する。
【００６４】
図１１に示すように、風洞２の室外側にしきり面９を設け、このしきり面９に室外から給気されるときには室内側にむかって開口し、換気停止時および外風が強いときには閉とするシャッター２７が装着され、しきり面９の下端部に風洞２の底部に接するように排水口１１を設け、シャッター２７が閉時にこのシャッター２７の一部が排水口１１を塞ぐともに、排水口１１に嵌合するよう凸部２８をシャッター２７に構成したものである。
【００６５】
上記構成において、長時間換気口を使用することにより、風洞２の底部に汚れが溜まり
さらに使用することにより排水口１１を汚れで塞ぐことになるが、シャッター２７が外風等により開閉することにより、シャッター２７に設けた凸部２８が排水口１１に嵌るため、排水口１１の汚れを除去することになる。
【産業上の利用可能性】
【００６６】
本発明にかかる換気口の排水構造は、室外側に結露水を排出する構造によって、空調機、送風機等に設けられている換気口の排水にも適応できる。
【図面の簡単な説明】
【００６７】
【図１】本発明の実施の形態１の換気口の構成図
【図２】同換気口の側面構成図
【図３】本発明の実施の形態２の換気口の構成図
【図４】本発明の実施の形態３の換気口の側面構成図
【図５】同換気口の主要部分の構成図
【図６】本発明の実施の形態４の換気口の側面構成図
【図７】本発明の実施の形態５の換気口の側面構成図
【図８】同換気口の風洞の斜視図
【図９】本発明の実施の形態６の換気口の側面構成図
【図１０】本発明の実施の形態７の換気口の側面構成図
【図１１】本発明の実施の形態８の換気口の側面構成図
【図１２】従来の換気口の側面構成図
【符号の説明】
【００６８】
１    ダクト
２    風洞
３    フランジ
５    通風口
６    フィルター
７    フィルター枠
８    受け部
９    しきり面
１０  シャッター
１１  排水口
１２  化粧グリル
１３  グリルベース
１４  前面パネル
１５  受け部
１６  溝
１７  リブ
１８  化粧グリル
１９  前面パネル
２０  パッキン
２１  受け部
２２  舌部
２３  壁部
２４  排水口
２５  シール材
２６  シャッター
２７  シャッター
２８  凸部
【図１】
2007187336.tif 000003
【図２】
2007187336.tif 000004
【図３】
2007187336.tif 000005
【図４】
2007187336.tif 000006
【図５】
2007187336.tif 000007
【図６】
2007187336.tif 000008
【図７】
2007187336.tif 000009
【図８】
2007187336.tif 000010
【図９】
2007187336.tif 000011
【図１０】
2007187336.tif 000012
【図１１】
2007187336.tif 000013
【図１２】
2007187336.tif 000014